(57)【要約】【課題】  スピーカの作動時に発生するビビリ音や音漏れを抑制して音響効果を高めることができる遊技機を提供する。【解決手段】  外枠１０の前側に、本体枠２０がヒンジ機構１９によって開閉可能に装着される。本体枠２０に、遊技盤１４０が着脱可能に嵌込まれる遊技盤装着枠１１０が設けられ、本体枠２０の前側にスピーカ３６が装着される。【選択図】        図９
2005296637.tif 000002
【特許請求の範囲】
【請求項１】
外枠の前側に、本体枠がヒンジ機構によって開閉可能に装着され、前記本体枠に、遊技盤が着脱可能に嵌込まれる遊技盤装着枠が設けられ、前記本体枠の前側に、スピーカが装着されていることを特徴とする遊技機。
【発明の詳細な説明】
【技術分野】
【０００１】
この発明は、パチンコ機等の弾球遊技機やスロットマシン等の遊技機に関する。
【背景技術】
【０００２】
従来、この種の遊技機において、遊技機の所定位置にスピーカが装着されたものが知られている。
また、スピーカを備えた遊技機において、前方に開口する箱形状のスピーカボックスにスピーカを装着することで音質の向上を図ることが知られている。
例えば、遊技機の前枠（本体枠）の前側下部に装着された発射レール基盤の前側にスピーカユニット取付基盤（スピーカボックス）が装着され、そのスピーカユニット取付基盤の前側開口部にスピーカ（例えば、コーン型スピーカユニット）が装着された構造のものが知られている（例えば、特許文献１参照）。
また、外枠の前側にヒンジ機構に開閉可能に装着された合成樹脂製の前面枠に、スピーカボックスの前側を構成する前ケース体が一体成形され、前面枠にねじ止めされた合成樹脂製の機構盤に、スピーカボックスの後側を構成する後ケース体が形成され、前ケース体の前面にスピーカが固定された構造のものが知られている（例えば、特許文献２参照）。
【特許文献１】特開２０００ー３０８７４４号公報（第３−５頁、図５−７）
【特許文献２】特開２０００ー２９６２１１号公報（第３頁、図１−２）
【発明の開示】
【発明が解決しようとする課題】
【０００３】
ところで、スピーカボックスの開口部を塞ぐようにしてスピーカが装着され、そのスピーカの振動板の後側とスピーカボックスの後壁部との間に構成された空間部を密閉された音響室とすることで、音響効果を高めることができる。
しかしながら、特許文献１に開示されたものにおいては、スピーカボックスの奥行寸法が本体枠の前面によって制限されるため、スピーカボックスの奥行き寸法をスピーカに適応する大きさに設定することが困難となる場合がある。
また、特許文献１及び特許文献２に開示されたものにおいては、複数のボックス構成部材をビス等によって相互に組み付けることで、前方に開口する箱形状のスピーカボックスを構成する構造上、複数のボックス構成部材の結合部（接合部）において、ビビリ音等の異音が発生し易くなるとともに、各ボックス構成部材の間の隙間から音が漏れが発生し、音響効果が低下する、という問題点があった。特に、低音、あるいは重低音用のスピーカを用いた場合には、その音による振動が大きく、ビビリ音等の異音や音漏れの発生が顕著となる。
前記したビビリ音等の異音の発生を防止するために、前側に開口するスピーカボックスを一部品によって一体に形成し、そのスピーカボックスの前側開口部にスピーカすることが考えられる。
スピーカボックスを一部品によって一体に形成した場合、スピーカと、そのスピーカを作動制御する制御基板（遊技機の後側に配置される）とを接続するための接続線をスピーカボックスの前側開口部を通して遊技機の後側に配置される制御基板に接続すると、長い接続線が必要となるとともに、その長い接続線の配線する作業が厄介となる。
そこで、スピーカと、そのスピーカを作動制御する制御基板とを接続するための接続線を効率よく配線するために、スピーカボックスの壁に配線孔を貫設し、一端がスピーカに接続された接続線の他端を、前記した配線孔を挿通して制御基板に接続することが考えられる。
しかしながら、スピーカボックスの壁に配線孔を貫設すると、その配線孔から音漏れが発生し、音響効果が低下する。
【０００４】
この発明の目的は、前記問題点に鑑み、スピーカの作動時に発生するビビリ音や音漏れを抑制して音響効果を高めることができる遊技機を提供することである。
【課題を解決するための手段】
【０００５】
前記目的を達成するために、請求項１の発明に係る遊技機は、
「外枠の前側に、本体枠がヒンジ機構によって開閉可能に装着され、前記本体枠に、遊技盤が着脱可能に嵌込まれる遊技盤装着枠が設けられ、前記本体枠の前側に、スピーカが装着された遊技機であって、
前記本体枠は、前記遊技盤装着枠と、後側に球払出装置が装着される機構装着体と、を備えるとともに、合成樹脂材によって一体成形され、
前記本体枠には、同本体枠の前面から後方に向かって延びかつ周壁部と後壁部とを有して前方に開口する箱形状のスピーカボックスが、前記本体枠の成形と同時に一体に形成され、
前記スピーカボックスの開口部には、同開口部を塞ぐようにしてスピーカが装着されるとともに、同スピーカの振動板の後側と前記後壁部との間に構成された空間部を音響室とし、
前記スピーカボックスの周壁部又は後壁部には、前記スピーカとそのスピーカを作動制御する制御基板とを電気的に接続するための接続線の配線孔が貫設され、
前記スピーカから延出されたスピーカ側接続線の端末コネクタが前記スピーカボックス内から前記配線孔に挿通されて係止される一方、
前記制御基板から延出された基板側接続線の端末コネクタが、前記スピーカ側接続線の端末コネクタに差し込まれることで、前記スピーカと前記制御基板とが電気的に接続されるとともに、前記配線孔が前記端末コネクタによって塞がれる構成にしてあることを特徴とする遊技機。」
を要旨とするものである。
【０００６】
前記構成において、遊技盤装着枠と、機構装着体と、を備えるとともに、合成樹脂材によって一体成形された本体枠は、大型で剛性が高くかつ前後方向の奥行き寸法も大きくなる。そして、本体枠の成形と同時に、前方に開口する箱形状のスピーカボックスを一体に形成することによって、奥行き寸法が大きいスピーカボックスを良好に得ることができるとともに、スピーカの振動板の後側とスピーカボックスの後壁部との間に密閉状の音響室を構成することが可能となる。
このようにして、大型で剛性が高くかつ前後方向の奥行き寸法が大きい本体枠と一体にスピーカボックスを形成することで、複数のボックス構成部材によってスピーカボックスを構成する特許文献１及び２のものと比べ、スピーカを安定よくかつ強固に装着することができるとともに、ビビリ音等の異音や音漏れの発生を防止することができ、音響効果を良好に高めることができる。
しかも、スピーカ側接続線の端末コネクタが、スピーカボックス内からスピーカボックスの壁（周壁部又は後壁部）に貫設された配線孔に挿通されて係止される。
そして、基板側接続線の端末コネクタが、スピーカ側接続線の端末コネクタに差し込まれることで、スピーカと制御基板とが電気的に接続されるとともに、配線孔が端末コネクタによって塞がれる。
また、この発明では、密閉型のスピーカボック、あるいはバスレフ型のスピーカボックいずれにおいても適応することができる。
また、バスレフ型のスピーカボックを構成する場合においては、スピーカの作動時に音響室内に発生する逆位相の音波を正位相に反転して前方に放出するバスレフ用の音響通路が設定される。
【０００７】
請求項２の発明に係る遊技機は、
「請求項１に記載の遊技機であって、
スピーカ側接続線の端末コネクタには、前記スピーカボックス内から前記配線孔に所定量だけ差し込まれることで、前記スピーカボックスの内壁面に当接して差し込み制限するストッパ部と、そのストッパ部が前記スピーカボックスの内壁面に当接する差し込み位置において配線孔に弾性的に係止する弾性係止体とが一体に形成され、
前記配線孔は、前記スピーカ側接続線の端末コネクタの横断面の外郭形状に対応する形状に形成され、
前記配線孔に前記スピーカ側接続線の端末コネクタが差し込まれて係止されることで、前記スピーカ側接続線の端末コネクタによって前記配線孔が塞がれる構成にしてあることを特徴とする遊技機。」
を要旨とするものである。
【０００８】
前記構成において、スピーカ側接続線の端末コネクタが、スピーカボックス内から配線孔に差し込まれ、その端末コネクタのストッパ部がスピーカボックスの内壁面に当接する差し込み位置まで差し込まれることで、端末コネクタの弾性係止体が配線孔に弾性的に係合する。
このようにして、スピーカ側接続線の端末コネクタを配線孔に差し込む簡単な操作によってそのスピーカ側接続線の端末コネクタを容易にかつ確実に係止することができるとともに、スピーカ側接続線の端末コネクタの横断面の外郭形状に対応する形状に形成された配線孔を、端末コネクタによって良好に塞ぐことができる。
【０００９】
請求項３の発明に係る遊技機は、
「請求項１又は２に記載の遊技機であって、
スピーカボックスの後壁部には凹部が形成され、
前記凹部の底部に配線孔が貫設され、
前記配線孔にスピーカ側接続線の端末コネクタが係止され、かつその端末コネクタに基板側接続線の端末コネクタが差し込まれた状態において、前記基板側接続線の端末コネクタが凹部の開口部から後方へ突出されることがない程度に前記凹部が深さ寸法が設定されていることを特徴とする遊技機。」
を要旨とするものである。
【００１０】
前記構成において、スピーカボックスの後壁部の凹部の底部に貫設された配線孔にスピーカ側接続線の端末コネクタが係止され、その端末コネクタに、基板側接続線の端末コネクタが差し込まれて接続された状態において、基板側接続線の端末コネクタが凹部内に収納されて保護される。このため、基板側接続線の端末コネクタに対し異物が当たって外れたり、あるいは損傷されることを防止することができる。
【発明の効果】
【００１１】
この発明によれば、大型で剛性が高くかつ前後方向の奥行き寸法が大きい本体枠の成形と同時に、前方に開口する箱形状のスピーカボックスを一体に形成することによって、スピーカボックスを複数の部材によって構成するものと比べ、スピーカを安定よくかつ強固に装着することができるとともに、ビビリ音等の異音や音漏れの発生を防止することができる。
しかも、スピーカボックスの壁に貫設された配線孔を接続線の端末コネクタによって塞ぐことができるため、配線孔からの音漏れも防止することができ、音響効果を高めることができる。
【発明を実施するための最良の形態】
【００１２】
次に、この発明を実施するための最良の形態を実施例にしたがって説明する。
【実施例】
【００１３】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠に各種部材が組み付けられた状態を斜め左下方から示す斜視図である。図５は遊技機の本体枠と遊技盤とを分離して示す斜視図である。なお、説明の便宜上、遊技機において遊技者側を前、反対側を後として説明する。
【００１４】
［遊技機の概要について］
図１〜図３に示すように、遊技機としてのパチンコ機は、外枠１０、本体枠２０、ガラス扉９０、遊技盤１４０等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００１５】
［本体枠について］
図１と図５に示すように、本体枠２０は、前枠体２１、遊技盤装着枠１１０及び機構装着体１９０を合成樹脂材によって一体成形することで構成されている。
本体枠２０の前側に形成された前枠体２１は、外枠１０の前側の下受板１５を除く外郭形状に対応する大きさの矩形枠状に形成されている。前枠体２１の中央部には遊技盤装着枠１１０が形成され、その遊技盤装着枠１１０の後側に機構装着体１９０が形成されている。
【００１６】
［本体枠の前枠体の前側下部の装備品について］
図１と図５に示すように、前枠体２１前面の下部領域内の上側部分には遊技盤１４０の発射通路に向けて球を導く発射レール２２が傾斜状に装着され、その発射レール２２の側方において本体枠２０の前側から操作可能な電源スイッチＳ１が配置されている。
前枠体２１前面の下部領域内の下側部分には、下部前面板２３が装着されている。下部前面板２３の前面の略中央部には、下皿２４が設けられ、片側寄りには操作ハンドル２５が設けられている（図１参照）。
【００１７】
［本体枠の前枠体の後側下部の装備品について］
図３と図４に示すように、前枠体２１の後側において、遊技盤装着枠１１０よりも下方に位置する前枠体２１の後下部領域の片側（図４に向かって左側）には、発射レール２２の下傾端部の発射位置に送られた球を発射するための発射ハンマー７３、その発射ハンマー７３を作動する発射モータ７２等が取付基板７１に組み付けられてユニット化された発射装置ユニット７０が装着されている。
【００１８】
また、図４に示すように、前枠体２１の後下部領域の略中央部には、電源基板８１を有する電源基板ボックス８０が装着され、その電源基板ボックス８０後側に重ね合わされた状態で払出制御基板８６を有する払出制御基板ボックス８５が前後に装着されている。
また、図３と図４に示すように、前枠体２１の後下部領域の他側寄り部分（ヒンジ寄り部分）において、後述するスピーカボックス３０の後段差部の凹み部分に装着された下皿用球誘導ケースの後側に位置してインタフェース基板２３１を収納しているインタフェース基板ボックス２３０が装着されている。
【００１９】
［施錠装置について］
図１と図２に示すように、前枠体２１のヒンジ機構と反対側に自由端側の後側には、外枠１０に対し本体枠２０を施錠する機能と、本体枠２０に対しガラス扉９０を施錠する機能とを兼ね備えた施錠装置１００が装着されている。
すなわち、施錠装置１００は、外枠１０に設けられた閉止具１７に係脱可能に係合して本体枠２０を閉じ状態に施錠する上下複数の本体枠施錠フック１０１と、ガラス扉９０の自由端側の後側に設けられた閉止具９４に係脱可能に係合してガラス扉９０を閉じ状態に施錠する上下複数の扉施錠フック１０２が前方に向けて突出されている。これら扉施錠フック１０２は、前枠体２１の自由端寄り部分に貫設された貫通孔に挿通されてガラス扉９０後側の閉止具９４に係脱可能に臨んでいる。
【００２０】
また、施錠装置１００はシリンダー錠１０３を備え、そのシリンダー錠１０３の前端部は、遊技機の前方から鍵を挿入されて解錠操作可能に、前枠体２１及び下部前面板２３を貫通してその下部前面板２３の前面に露出されている（図２参照）。
そして、シリンダー錠１０３の鍵穴に鍵が挿入されて一方向に回動操作されることで本体枠施錠フック１０１と外枠１０の閉止具１７との係合が外れて本体枠２０が解錠され、これとは逆方向に回動操作されることで、扉施錠フック１０２とガラス扉９０の閉止具９４との係合が外れてガラス扉９０が解錠されるようになっている。
【００２１】
［ガラス扉について］
図１と図２に示すように、前枠体２１の前面の片側には、その前枠体２１の上端から下部前面板４４の上縁にわたる部分を覆うようにしてガラス扉９０が扉開閉用ヒンジ機構８９によって前方に開閉可能に装着されている。ガラス扉９０のヒンジ機構８９と反対側に自由端側の後側には、施錠装置１００の扉施錠フック１０２に係脱可能に係合してガラス扉９０を閉じ状態に施錠する閉止具９４が設けられている。
また、ガラス扉９０の略中央部には、後述する遊技盤１４０の遊技領域１４４を前方から透視可能な略円形の開口窓９１が形成されている。また、ガラス扉９０の後側には開口窓９１よりも大きな矩形枠状をなす窓枠９２が設けられ、その窓枠９２にはガラス板、透明樹脂板等の透明板９３が装着されている。
また、ガラス扉９０の前面の略全体は、ランプ等が内設された前面装飾部材９５によって装飾され、同ガラス扉９０の前面の下部には上皿９６が形成されている（図２参照）。
【００２２】
［本体枠の遊技盤装着枠及び遊技盤について］
図１と図５に示すように、本体枠２０の遊技盤装着枠１１０は、前枠体２１の中央部後側に設けられかつ遊技盤１４０が前方から着脱交換可能に嵌込まれて装着されるようになっている。
すなわち、この実施例において、遊技盤装着枠１１０の奥側（後側）の枠部内周には遊技盤１４０の後側の周縁部を受け止める後面受け部１１１が形成されている。
また、遊技盤装着枠１１０の一側内壁面の上下部２箇所には、後面受け部１１１との間に遊技盤１４０の一側部が差し込み可能な間隔を隔てて前面押え部１１２が形成されている。
【００２３】
図１と図５に示すように、遊技盤１４０は、遊技盤装着枠１１０の前方から嵌込まれる大きさの略四角板状に形成されている。遊技盤１４０の盤面（前面）には、外レールと内レールとを備えた案内レール１４１が設けられ、その案内レール１４１の内側に遊技領域１４４が区画形成されている。
また、遊技盤１４０の前面には、その案内レール１４１の外側領域において、合成樹脂製の前構成部材１４０ａが装着されている。
【００２４】
また、遊技盤１４０には、その遊技領域１４４内において、遊技に関する役物装置、例えば、センタ役物と呼ばれる役物装置１５０、入賞装置、風車器、誘導釘、ランプ装飾部材等の各種の装備品が配設されている。
また、役物装置１５０の役物本体１５１には、その略中央部に開口窓が形成され、役物本体１５１の後側には、その開口窓に臨んで図柄表示装置（例えば、液晶表示器、ＥＬ表示器，プラズマ表示器，ＣＲＴ等）１５５が装着されている。
また、図柄表示装置１５５の後側には、図柄制御基板１５６が収納された図柄基板ボックス１５７が装着されている。（図参照）。
【００２５】
また、図１に示すように、遊技盤１４０前面の前構成部材１４０ａの右側寄りの上下２箇所には、遊技盤装着枠１１０の係止部に対応する位置においてロック部材１５９がピンと左右方向の長孔によって回動操作可能に装着されている。
そして、遊技盤１４０（前構成部材１４０ａを含む）は、その左側部が遊技盤装着枠１１０の後面受け部１１１と前面押え部１１２との間に差し込まれ、ロック部材１５９の先端のロック部が遊技盤装着枠１１０の係止部に差し込まれて係合されることで遊技盤装着枠１１０に着脱可能に装着されるようになっている。
【００２６】
図５に示すように、遊技盤１４０の後側下部には、その中央部から下部にわたる部分において、各種入賞装置に流入した球を受けかつその球を所定位置まで導く集合樋としての機能とボックス装着部としての機能を兼ね備えたボックス装着台１６０が設けられている。このボックス装着台１６０の後側には、副制御基板１６６が収納された副制御基板ボックス１６５が装着され、その副制御基板ボックス１６５の後側に重ね合わされた状態で、主制御基板１６２が収納された主制御基板ボックス１６１が装着されている。
さらに、遊技盤１４０の後側に対しボックス装着台１６０、副制御基板ボックス１６５及び主制御基板ボックス１６１がそれぞれ装着された状態において、本体枠２０の遊技盤装着枠１１０の前方からその遊技盤装着枠１１０内に遊技盤１４０を嵌込んで装着できるように、遊技盤１４０の外郭より外側にはみ出すことなくボックス装着台１６０、副制御基板ボックス１６５及び主制御基板ボックス１６１が配置されている。
【００２７】
［本体枠と遊技盤のコネクタ接続について］
図５に示すように、本体枠２０の前側と、遊技盤１４０の後側との間には、本体枠２０の遊技盤装着枠１１０の前方からその遊技盤装着枠１１０内に遊技盤１４０を嵌込む動作によって、それぞれ差し込まれて接続される本体枠側第１、第２のコネクタ１２０、１３０と遊技盤側第１、第２のコネクタ１７０、１８０がそれぞれ配設されている。
この実施例において、本体枠２０の遊技盤装着枠１１０の後右側部近傍に、第１、第２のコネクタ１２０、１３０が左右に隣接して設置され、遊技盤１４０の後側下部に、遊技盤装着枠１１０の前方からその遊技盤装着枠１１０内に遊技盤１４０を嵌込む動作によって、本体枠側第１、第２のコネクタ１２０、１３０に挿脱可能に差し込まれる遊技盤側第１、第２のコネクタ１７０、１８０が左右に隣接して設置されている。
【００２８】
本体枠２０の第１コネクタ１２０と遊技盤１４０の第１コネクタ１７０は、本体枠２０側の払出制御基板８６と、遊技盤１４０側の主制御基板１６２とを電気的に接続するものである（図２２参照）。
図１４〜図１６に示すように、本体枠２０の第１コネクタ１２０の縦長箱形状をなすコネクタ本体１２１内には、各種の信号線に対応する複数の信号線用雄型端子１２２、電圧が異なる（例えば、３４Ｖ、１２Ｖ）電源線用雄型プラス端子１２３、電源線用雄型グランド端子１２４及び電源線用雄型プラス端子１２５、電源線用雄型グランド端子１２６がそれぞれ配置されている。
これに対し、遊技盤１４０の第１コネクタ１７０のコネクタ本体１７１は、本体枠２０の第１コネクタ１２０のコネクタ本体１２１の外側に嵌込まれる大きさの縦長箱形状に形成されている。そして、コネクタ本体１７１内には、各雄型端子に対応する複数の信号線用雌型端子１７２、電源線用雌型プラス端子１７３、電源線用雌型グランド端子１７４、電源線用雌型プラス端子１７５、電源線用雌型グランド端子１７６がそれぞれ配置されている。
【００２９】
本体枠２０の第２コネクタ１３０と遊技盤１４０の第２コネクタ１８０は本体枠２０側のスピーカ３６と遊技盤１４０側の副制御基板１６６と電気的に接続するものである（図２２参照）。
本体枠２０の第２コネクタ１３０には、縦長箱形状をなすコネクタ本体１３１内に各種の信号線に対応する複数の信号線用雄型端子（図示しない）、所定電圧（例えば、１２Ｖ）電源線用雄型プラス端子１３３、電源線用雄型グランド端子１３４がそれぞれ配置されている。
これに対し、本体枠２０の第２コネクタ１３０のコネクタ本体１３１の外側に嵌込まれる遊技盤１４０の第２コネクタ１８０のコネクタ本体１８１内には、各雄型端子に対応する複数の雌型信号線用端子（図示しない）、雌型電源線用プラス端子１８３、雌型電源線用グランド端子１８４がそれぞれ配置されている。
【００３０】
また、この実施例において、本体枠２０の遊技盤装着枠１１０の前方からその遊技盤装着枠１１０内に遊技盤１４０が嵌込まれ、これによって、本体枠側第１、第２のコネクタ１２０、１３０と遊技盤側第１、第２のコネクタ１７０、１８０とがそれぞれ差し込まれる際、まず、電源線用雄型グランド端子１２４、１２６、１３４が、電源線用雌型グランド端子１７４、１７６、１８４に接続され、その後、電源線用雄型プラス端子１２３、１２５、１３３が電源線用雌型プラス端子１７３、１７５、１８３に接続されるように、これら電源線用雄型グランド端子１２４、１２６、１３４、電源線用雌型グランド端子１７４、１７６、１８４、電源線用雄型プラス端子１２３、１２５、１３３及び電源線用雌型プラス端子１７３、１７５、１８３の端子長さが設定されている。
【００３１】
この実施例において、図１５に示すように、電源線用雄型グランド端子１２４（１２６、１３４）が、電源線用雄型プラス端子１２３（１２５、１３３）よりも適宜に長く形成されている。
また、電源線用雄型グランド端子１２４（１２６、１３４）と、電源線用雄型プラス端子１２３（１２５、１３３）との長さは略同じとし、電源線用雌型グランド端子１７４、１７６、１８４を電源線用雌型プラス端子１７３、１７５、１８３よりも適宜に長く形成してもよい。
【００３２】
前記したように、電源線用雄型グランド端子１２４（１２６、１３４）を電源線用雌型グランド端子１７４、１７６、１８４に先に接続するように構成することで、仮に、遊技機の電源がＯＮの状態で遊技盤１４０を脱着交換したとしても、各種回路基板上に配置された電子部品に対し設計経路とは異なる経路で電源電流が流れることが防止される。このため、回路基板上の電子部品に電源電流が不測に流れて損傷される不具合を防止することができる。
すなわち、電源線用雄型プラス端子１２３、１２５、１３３が電源線用雌型プラス端子１７３、１７５、１８３に先に接続されると、電源電流の一部が設計経路とは異なる経路である回路基板上のグランド配線を経る経路で回路基板上に配置された電子部品に不測に流れて損傷する不具合が発生する場合があるが、この実施例においては、このような不具合を未然に防止することができる。
【００３３】
［本体枠の機構装着体について］
図３と図４に示すように、本体枠２０の機構装着体１９０の上部後側には、島設備から供給される多数の球が貯留可能な球タンク１６５、その球タンク１６５の下方に連通するタンクレール１７１とが配設されている。
また、本体枠２０の機構装着体１９０の片側（図に向かって右側）寄りの上下方向にはユニット化された球払出装置２１０が装着されている。
【００３４】
［外部端子基板と分電基板の配置について］
図３と図２１に示すように、機構装着体１９０の後上隅部（ヒンジ寄り側）には、第１基板装着部２２０と第２基板装着部２２５とが段差状をなして形成され、下段の第１基板装着部２２０には外部端子基板２２２が装着され、上段の第２基板装着部２２５には分電基板２２６が分電基板ボックス２２７に覆われた状態で装着されている。
図２０に示すように、遊技盤１４０後側に配置された図柄制御基板ボックス１４６及び主制御基板ボックス１６１の後端部は機構装着体１９０の中央部に開口された窓開口部に向けて突出している。そして、機構装着体１９０の窓開口部の一側壁を構成する側壁部と他側壁を構成する払出装置装着部２００の片側壁との間には、後カバー体２１５がその一側を支点として開閉可能に装着されている。
そして、遊技盤１４０後側の図柄制御基板ボックス１４６全体及び主制御基板ボックス１５１の上部が後カバー体２１５によって覆われるようになっている（図４参照）。
【００３５】
［本体枠側の回路基板と遊技盤側の回路基板の接続について］
図２２のブロック図で示すように、本体枠２０側においては、交流電源ＡＣから供給される交流電力が、分電基板２２６、電源スイッチＳ１を経て電源基板８１に流れ、ここで直流電力に変換されて払出制御基板８６に供給される。
また、払出制御基板８６は、球を払い出す数を記憶するＲＡＭ８６ａを備え、主制御基板１６２から送信される払出用信号に従って球を払い出す制御（球払出装置２１０のモータの作動制御）を行うようになっている。
また、交流電源ＡＣから供給される交流電力は、分電基板２２６においてインタフェース基板２３１にも分配供給される。
インタフェース基板２３１は、球貸機２３５と払出制御基板８６との間に介在され、球貸に関する信号を球貸機２３５と払出制御基板８６との間で送受信可能に電気的に接続するようになっている。
また、払出制御基板８６には、各種検出器からの信号や主制御基板１６２からの信号が伝達される。これに基づいて払出制御基板８６から例えば、大当たり信号、扉開放信号、賞球信号等の信号が外部端子基板２２２に送信され、その外部端子基板２２２の各外部出力端子から前記した大当たり信号、扉開放信号、賞球信号等の信号がホールコンピュータに伝達されるようになっている。
【００３６】
また、遊技盤１４０側に配置された主制御基板１６２は遊技の進行を制御し、副制御基板１６６は周辺機器を制御する。すなわち主制御基板１６２からの遊技に関する信号を受けた副制御基板１６６は、図柄制御基板１５６を介して図柄表示装置１５５に表示を行う。さらに、副制御基板１６６は、後述するスピーカ３６を作動制御する。
また、図柄制御基板１５６は、遊技用信号を表示用信号に変換して図柄表示装置１５５に伝達する。図柄表示装置１５５には大当たりの抽選図柄が変動表示可能となっている。
【００３７】
［本体枠の配線構造について］
図１７〜図２０に示すように、遊技盤装着枠１１０に装着された遊技盤１４０の後側周辺部のうちの少なくとも左右両側部と機構装着体１９０の前壁部との間には、第１、第２の配線空間２４１、２５１が左右に分離して設けられている。そして、第１配線空間２４１には電源線２４０が配線され、第２配線空間２５１には各種信号に対応する複数本の信号線２５０が配線されている。
電源線２４０は、本体枠２０の機構装着体１９０の後側上隅部に配置された分電基板２２６と、同本体枠２０の前枠体２１の後側下部に配置された電源基板（この実施例では電源スイッチＳ１）８１とを電気的に接続するものである。
また、信号線２５０は、本体枠２０の機構装着体１９０の後側上隅部に配置された外部端子基板２２２と、同本体枠２０の前枠体２１の後側下部に配置された払出制御基板８６とを電気的に接続するものである。
【００３８】
この実施例おいて、第１配線空間２４１は、分電基板２２６と電源基板（この実施例では電源スイッチＳ１）８１との左右方向の距離寸法に対応する横空間部２４２と、分電基板２２６と電源基板（この実施例では電源スイッチＳ１）８１との上下方向の距離寸法に対応する縦空間部２４５とを備えて略逆Ｌ字状をなしている。
また、第１配線空間２４１の横空間部２４２に対応する機構装着体１９０の前壁部上部には、略Ｌ字状をなして突出しかつ先端部に抜止爪を有する複数の保持片２４３が左右方向に所定間隔をもって配設されている。
また、第１配線空間２４１の縦空間部２４５に対応する機構装着体１９０の前壁部の右側上部から下部において、略コの字状をなして突出する複数の保持片２４５が上下方向に所定間隔をもって突設されている。
【００３９】
また、この実施例において、図１８に示すように、横空間部２４２に対応する位置に配置された複数の保持片２４３は、向きを交互に上下逆向きに形成され、これによって、複数の保持片２４３に対し電源線２４０の挿入向きを上方と下方とに交互に換えて掛け渡すことによってその電源線２４０の挿通作業が容易に行なうことができるとともに、複数の保持片２４３に掛け渡された電源線２４０の上下方向への移動が規制され、電源線２４０の外れが防止されるようになっている。
【００４０】
第２配線空間２５１は、外部端子基板２２２と払出制御基板８６との上下方向の距離寸法に対応して機構装着体１９０の左側の上部から下部にわたって形成されている。
また、第２配線空間２５１に対応する機構装着体１９０の前壁部左前には、略Ｌ字状をなして突出しかつ先端部に抜止爪を有する複数の保持片２４６が適宜姿勢でかつ上下方向に所定間隔をもって配設されている。
【００４１】
［本体枠のスピーカボックスについて］
さて、図６と図７に示すように、合成樹脂材によって一体成形される本体枠２０は、同本体枠２０の前面から後方に向かって延びかつ周壁部３２と後壁部４０とを有して前方に開口する箱形状のスピーカボックス３０が、本体枠２０の成形と同時に一体に形成されている。そして、スピーカボックス３０の開口部には、同開口部を塞ぐスピーカ装着部材（スピーカカバー）３５によってスピーカ（低音あるいは重低音用スピーカ）３６が装着されるとともに、同スピーカ３６の振動板（コーン）３６ａの後側とスピーカボックス３０の後壁部４０との間に構成された空間部を音響室３１としている。
この実施例では、本体枠２０（前枠体２１）の前側において、遊技盤装着枠１１０よりも下方に位置する前枠体２１の前下部領域の一側（図５では左側）寄りにおいて、スピーカボックス３０が一体に形成され、そのスピーカボックス３０の前側開口部には、同開口部を塞ぐようにしてスピーカ装着部材（スピーカカバー）３５がビス３８等によって装着されている。このスピーカ装着部材３５は、多数のスリット状の貫通孔が貫設された前面板と、その前面板の後側周縁部に沿って後方に向けて突設された周壁部と、を備えて後方に開口する箱形状に形成されている。そして、図９に示すように、スピーカ装着部材３５の前面板の内面にはスピーカ（コーン型スピーカ）３６がその前面フランジ３７においてビス３９等によって装着されている。
【００４２】
また、この実施例において、スピーカ３６の作動時に音響室３１内に発生する音波によってスピーカ３６の振動板（すなわち、コーン）３６ａの動きが阻害されることを抑制するために、スピーカボックス３０は、その後壁部４０が遊技盤装着枠１１０の後側を越える奥行き寸法をもって大きく形成されている。
これによって、スピーカボックス３０の奥行き寸法が、スピーカ３６に対し充分に適応し得るだけの大きさに確保されるようになっている。この実施例において、図４に示すように、スピーカボックス３０７０は、その後壁部４０が本体枠２０の後側の機構装着体１９０の後面と略同一面をなす位置まで大きく形成されている。
【００４３】
また、図６と図７に示すように、スピーカボックス３０は、その周壁部３２の前側が大きく後側に向けてしだいに小さくなった複数段の段差箱形状をなしている。
また、図６と図９に示すように、スピーカボックス３０の周壁部３２の内壁面の一側部には、ダクト部材３４に対するスライド部が形成され、そのスライド部には、ダクト部材３４が前側からスライドされることによって着脱可能に装着されている。
ダクト部材３４は、合成樹脂材によって前後方向に長尺に形成され、かつ前端が閉じられ後端が開口する断面略半筒状をなし、その上下部には、スピーカボックス３０のスライド部にスライド可能に嵌挿されるフランジが形成されている。
一方、図６と図９に示すように、スピーカボックス３０の内壁面の前側には凹部３２ａが形成されている。そして、スピーカボックス３０の内壁面のスライド部に、ダクト部材３４が前側からスライドされて装着された状態において、スピーカボックス３０とダクト部材３４との協働によって、前端が前枠体２１の前方に開口し後端部が音響室３１に連通する音響通路３３が形成されている。
【００４４】
［スピーカと制御基板（副制御基板）とのコネクタ接続について］
図７と図８に示すように、スピーカボックス３０の周壁部３２又は後壁部４０には、スピーカ３６とそのスピーカ３６を作動制御する制御基板としての副制御基板１６６とを電気的に接続するための接続線の配線孔４３が貫設されている。
そして、図９〜図１１に示すように、スピーカ３６から延出されたスピーカ側接続線４５の端末コネクタ５０がスピーカボックス３０内から配線孔４３に挿通されて係止される一方、副制御基板１６６から延出された基板側接続線５９の端末コネクタ６０が、スピーカ側接続線４５の端末コネクタ５０に差し込まれることで、スピーカ３６と副制御基板１６６とが電気的に接続されるとともに、配線孔４３がスピーカ側接続線４５の端末コネクタ５０によって塞がれる構成にしてある。
【００４５】
この実施例において、図７図８に示すように、スピーカボックス３０の後壁部４０の外面（後側）には、凹部４１が形成され、その凹部４１の底部４２にスピーカ３６に対する配線孔４３が貫設されている。
配線孔４３は、スピーカ側接続線４５の端末コネクタ５０の横断面の外郭形状に対応する形状に形成されている。
この実施例において、図７と図８に示すように、配線孔４３は、その上下部に、次に詳述するスピーカ側接続線４５の端末コネクタ５０の弾性係止体５３を弾性的に係止するための幅が狭くて小さい係止孔部４３ａが形成され、中央部の片側には、端末コネクタ５０の抜止用連結部５５が挿通可能な連結用挿通部４３ｂが形成されている。
【００４６】
図１０〜図１２に示すように、スピーカ側接続線４５の端末コネクタ５０は、そのコネクタ本体５１が角筒状に形成され、その角筒内には接続端子が内設されている。
また、コネクタ本体５１の左右の両側壁部のうち、一方の側壁部の外面には、基板側接続線５９の端末コネクタ６０に形成された抜止用差込片６５が差し込み可能な差し込み孔を有する貫通状に有する抜止用連結部５５が突設される。
また、端末コネクタ５０のコネクタ本体５１の左右の両側壁部の外面には、配線孔４３の周囲において底部４２の内面に当接して端末コネクタ５０の差し込みを制限するストッパ部５２が形成されている。
さらに、端末コネクタ５０のコネクタ本体５１の上下の両外面には、そのストッパ部５２が底部４２の内面に当接する差し込み位置まで端末コネクタ５０が配線孔４３に挿通されたときに、配線孔４３の係止孔部４３ａに弾性的に係合する左右各一対の弾性係止部５３ａを弾性的に縮小及び拡開可能に有する弾性係止体５３が形成されている。
【００４７】
そして、図１０に示すように、スピーカ側接続線４５の端末コネクタ５０を、そのストッパ部５２が底部４２の内面に当接する差し込み位置まで差し込むことで、弾性係止体５３の一対の弾性係止部５３ａが一旦、弾性的に縮小され、その弾性縮小に基づく弾発力によって配線孔４３の係止孔部４３ａに係合する。これによって、底部４２の内外両面がストッパ部５２と弾性係止体５３との間に狭持され、その狭持力によって、スピーカ側接続線４５の端末コネクタ５０が配線孔４３に取り付けられ、かつ端末コネクタ５０によって配線孔４３が塞がれるようになっている。
【００４８】
図１２に示すように、副制御基板１６６に一端が接続された基板側接続線５９の他端の端末コネクタ６０は、スピーカ側接続線４５の端末コネクタ５０に差し込まれて電気的に接続されるものであり、その端末コネクタ６０のコネクタ本体６１には、スピーカ側接続線４５の端末コネクタ５０の接続端子に接続される接続端子が内設されている。
また、端末コネクタ６０のコネクタ本体６１の外側面には、スピーカ側接続線４５の端末コネクタ５０に対する端末コネクタ６０の端末コネクタ６０の差し込み動作によってスピーカ側接続線４５の端末コネクタ５０の抜止用連結部５５に差し込まれる抜止片６５が弾性変形可能に形成されている。そして、抜止片６５の先端には、抜止用連結部５５の差し込み孔の孔縁に係脱可能に弾性的に係合し、かつスピーカ側接続線４５の端末コネクタ５０に対し基板側接続線５９の端末コネクタ６０の抜け止めをなす抜止爪６５ａが形成されている。
【００４９】
また、この実施例において、図１０と図１１に示すように、スピーカボックス３０の後壁４０に形成された凹部４１の深さ寸法Ｈは、両端末コネクタ５０、６０が接続された状態で基板側接続線５９の端末コネクタ６０が凹部４１の開口から後方に突出されることがない程度に設定されている。  
【００５０】
［この実施例に係る遊技機の作用効果について］
この実施例に係る遊技機は上述したように構成される。
したがって、遊技の際、例えば、図柄表示装置１５５の表示面に表示される図柄が変動表示されるとき、リーチ状態となったとき、大当たりとなったとき等において、副制御基板ボックス１６５の副制御基板１６６に構成された音声制御回路から伝達される信号に基づいてスピーカ３６が作動される。すると、スピーカ３６の作動による音が遊技機前方に出される。また、スピーカ３６の作動による音がスピーカボックス３０の音響室３１及び音響通路３３を経て前方に出される。
【００５１】
さて、この実施例に係る遊技機において、本体枠２０は、遊技盤装着枠１１０と、機構装着体１９０と、を備えるとともに、合成樹脂材によって一体成形されるため、大型で剛性が高くかつ前後方向の奥行き寸法も大きくなる。
そして、本体枠２０の成形と同時に、前方に開口する箱形状のスピーカボックス３０を一体に形成することによって、奥行き寸法が大きいスピーカボックス３０を良好に得ることができる。さらに、スピーカボックス３０の開口部には、スピーカ３６を安定よく装着することができる。
これによって、スピーカ３６の振動板（コーン）３６ａの後側とスピーカボックス３０の後壁部４０との間に密閉状の音響室３１を構成することが可能となる。
さらに、本体枠２０の前側に対し、同本体部３０とは別体にスピーカボックス３０を形成して取り付ける手間を省くことができ構造がきわめて簡単となる。
【００５２】
また、スピーカボックス３０は、その後壁部４０が遊技盤装着枠１１０の後側を越える奥行き寸法をもって大きく形成される。このため、スピーカ３６の作動時に音響室３１内に発生する音波によってスピーカ３６の振動板（コーン）３６ａの動きが阻害されることを良好に抑制することができる。
言い換えると、スピーカ３６の作動時に音響室３１に発生する発生する音波によってスピーカ３６の振動板（コーン）３６ａの動きが阻害されることを抑制することができる大きさにおいて、スピーカボックス３０の奥行き寸法を容易に設定することができる。
しかも、大型で剛性が高くかつ前後方向の奥行き寸法が大きい本体枠２０の成形と同時に、前方に開口する箱形状のスピーカボックス３０を一体に形成することによって、スピーカ９４を安定よくかつ強固に装着することができるとともに、ビビリ音等の異音が発生や音響室内の逆位相の音波が漏れ出ることを防止することができ、音響効果を良好に高めることができる。
【００５３】
また、スピーカ３６の作動時おいて、そのスピーカ３６の振動板（コーン）３６ａの振動によって本体枠２０が振動（共振）するのを抑えることができる。
これによって、例えば、スピーカ３６の作動時の振動が原因となって発射装置の発射レール１００や発射ハンマー２３３が不測に振動される不具合を防止することができる。この結果、発射ハンマー２３３によって発射レール２２の発射位置から発射される球（パチンコ球）の発射状態が不測に変化する発射不良を防止することができる。
また、本体枠２０の一側寄り部分に配置された発射装置とは反対側の他側寄り部分にスピーカボックス３０が形成されている。これによって、発射装置から遠い位置にスピーカボックス３０を形成することができるため、スピーカ３６の作動時の振動が発射装置に伝達されることを軽減することができる。
すなわち、スピーカ３６の作動時の振動伝達が原因となって、発射レール２２の発射位置から発射される球（パチンコ球）が不測に変化して発射される発射不良を良好に防止することができる。
【００５４】
また、図７と図９に示すように、スピーカボックス３０の周壁部３２は、開口側が広く、奥側が狭い段差形状に形成されている。このため、スピーカボックス３０の強度が良好に高められるとともに、スピーカ３６の作動時のスピーカボックス３０の振動を良好に抑えることができ、ひいては本体枠２０の振動防止に効果が大きい。
また、段差形状に形成されるスピーカボックス３０の周壁部３２は、開口側が広く奥側が狭いため、例えば、合成樹脂材によって本体枠２０の成形（例えば、射出成形）と同時にスピーカボックス３０を形成した後、脱型する際、本体枠２０の脱型がスピーカボックス３０によって困難となる不具合を防止することができる。
また、スピーカボックス３０の内壁部は、開口側が広く、奥側が狭くなるように傾斜する傾斜面又はテーパ面に形成されることで、本体枠２０の脱型をより一層容易に行うことができる。
【００５５】
また、この実施例において、スピーカボックス３０にスピーカ３６を装着する場合には、まず、スピーカ装着部材３５の前面板の内面にはスピーカ（コーン型スピーカ）３６がその前面フランジ３７においてビス３９等によって装着される。次に、スピーカボックス３０の前側開口部を覆うようにしてスピーカ装着部材３５がビス３８等によって取り付けられることで、スピーカボックス３０に、スピーカ装着部材３５によってスピーカ３６を安定よく強固に装着することができるとともに、スピーカ３６の作動時の音響性能を向上させることができる。
【００５６】
また、図６と図９に示すように、音響室３１に一端部が連通され他端が本体枠２０の前側に開口するようにして設けられた音響通路３３によって音響効果を高めることができる。
すなわち、音響通路３３を、スピーカ３６の作動時に音響室３１内に発生する逆位相の音波を正位相に反転して前方に放出することができるように、所要とする横断面積及び通路長さに設定することによって、バスレフ用の音響通路を容易に設定することができ、音響効果を高めることができる。
この実施例において、音響室３１の一側内壁面にダクト部材３４がスライド動作によって装着されることで、音響室３１の一側内壁面とダクト部材３４との協働によって前方に開口する音響用開口部を有する音響通路３３が容易に構成される。
【００５７】
また、この実施例において、スピーカボックス３０のスピーカ３６と、そのスピーカ３６を作動制御する制御基板としての副制御基板１６６とを電気的に接続する場合、スピーカボックス３０に、スピーカ装着部材３５を介してスピーカ３６を装着する前において、スピーカ３６から延出されたスピーカ側接続線４５の端末コネクタ５０がスピーカボックス３０内から配線孔４３に挿通されて係止される。
次に、図１０〜図１２に示すように、副制御基板１６６から延出された基板側接続線５９の端末コネクタ６０が、スピーカ側接続線４５の端末コネクタ５０に差し込まれることで、スピーカ３６と副制御基板１６６とが電気的に接続される。
また、配線孔４３にスピーカ側接続線４５の端末コネクタ５０が差し込まれて係止されることで、配線孔４３が端末コネクタ５０によって塞がれる。
このため、配線孔４３からの音漏れも防止することができ、音響効果を高めることができる。
【００５８】
また、この実施例において、図１０と図１２に示すように、スピーカ側接続線４５の端末コネクタ５０には、スピーカボックス３０内から配線孔４３に所定量だけ差し込まれることで、スピーカボックス３０の内壁面に当接して差し込み制限するストッパ部５２と、そのストッパ部５２がスピーカボックス３０の内壁面に当接する差し込み位置において配線孔４３に弾性的に係止する弾性係止体５３とが一体に形成される。
また、配線孔４３は、スピーカ側接続線４５の端末コネクタ５０の横断面の外郭形状に対応する形状に形成される。
このため、スピーカ側接続線４５の端末コネクタ５０が、スピーカボックス３０内から配線孔４３に差し込まれ、その端末コネクタのストッパ部５２がスピーカボックス３０の内壁面に当接する差し込み位置まで差し込まれることで、端末コネクタ５０の弾性係止体５３が配線孔４３に弾性的に係合する。
このようにして、スピーカ側接続線４５の端末コネクタ５０を配線孔４３に差し込む簡単な操作によって、そのスピーカ側接続線４５の端末コネクタ５０を容易にかつ確実に係止することができるとともに、スピーカ側接続線４５の端末コネクタ５０の横断面の外郭形状に対応する形状に形成された配線孔４３を、端末コネクタ５０によって良好に塞ぐことができる。
また、配線孔４３に対する弾性係止体５３の係合力によって、配線孔４３にスピーカ側接続線４５の端末コネクタ５０が係合保持されるため、同端末コネクタ５０に、基板側接続線５９の端末コネクタ６０が差し込まれるときに、スピーカ側接続線４５の端末コネクタ５０が音響室３１側に外れることを防止することができる。
【００５９】
しかも、この実施例において、図７と図８に示すように、配線孔４３の上下部に形成された幅が狭くて小さい係止孔部４３ａに対し、図１０に示すように、スピーカ側接続線４５の端末コネクタ５０に一体に形成された弾性係止体５３の一対の弾性係止部５３ａが弾性的に係合するため、配線孔４３に対しスピーカ側接続線４５の端末コネクタ５０を強固に係止することができるとともに、その端末コネクタ５０によって配線孔４３を良好に塞ぐことができる。
例えば、配線孔４３を孔幅が一定の角孔状に形成し、その孔縁に対し弾性的に係合する弾性係止片をスピーカ側接続線４５の端末コネクタ５０の外側面に形成した場合には、配線孔４３に対し、スピーカ側接続線４５の端末コネクタ５０を弾性係止片によって係止した状態において、端末コネクタ５０の外周面と、配線孔４３との間に隙間が生じ、その隙間から音漏れが発生するが、前記したように、配線孔４３に形成された幅が狭くて小さい係止孔部４３ａに対し、スピーカ側接続線４５の端末コネクタ５０に一体に形成された弾性係止体５３の一対の弾性係止部５３ａを弾性的に係合させることで、端末コネクタ５０の外周面と、配線孔４３との間に生じ隙間を可及的に小さくすることができ、音漏れ防止に効果が大きい。
【００６０】
また、この実施例において、スピーカ側接続線４５の端末コネクタ５０に対する基板側接続線５９の端末コネクタ６０の端末コネクタ６０の差し込み動作によって、スピーカ側接続線４５の端末コネクタ５０の抜止用連結部５５に、基板側接続線５９の端末コネクタ６０の抜止片６５が差し込まれ、その抜止片６５の先端の抜止爪６５ａが抜止用連結部５５の差し込み孔の孔縁に弾性的に係合する。
このため、基板側接続線５９の端末コネクタ６０がスピーカ側接続線４５の端末コネクタ５０から不測に抜け出て外れるとこを防止することができる。
【００６１】
また、この実施例において、スピーカボックス３０の後壁部４０の凹部４１の底部４２に配線孔４３が貫設されている。そして、凹部４１の深さ寸法Ｈは、両端末コネクタ５０、６０が接続された状態で基板側接続線５９の端末コネクタ６０が凹部４１の開口から後方に突出されることがない程度に設定されている。
このため、基板側接続線５９の端末コネクタ６０を凹部４１内に収納されて保護することができ、基板側接続線５９の端末コネクタ６０に対し異物が当たって外れたり、あるいは損傷されることを防止することができる。
【００６２】
［この発明の他の実施例について］
なお、この発明は前記実施例に限定するものではない。
例えば、前記実施例においては、スピーカボックス３０の音響室３１の内壁面にダクト部材８１を装着して、一端部が音響室３１の奥側寄りに連通し他端が本体枠２０の前側に開口する前後方向に長尺な音響通路３３が設けられている場合を例示したが、音響通路３３が設けられない密閉型のスピーカボックス３０であってもこの発明を実施することができる。
また、前記実施例においては、スピーカボックス３０の後壁部４０の凹部４１の底部４２に配線孔４３が貫設される場合を例示したが、後壁部４０に凹部４１を設けることなく配線孔４３が貫設される場合においてもこの発明を実施することができよく、また、スピーカボックス３０の周壁部３２の所定位置に配線孔４３が貫設される場合においてもこの発明を実施することができる。
また、パチンコ機以外の遊技機、例えば、スロットマシンであってもこの発明を採用することができる。
【図面の簡単な説明】
【００６３】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠に各種部材が組み付けられた状態を斜め左下方から示す斜視図である。
【図５】同じく遊技機の本体枠と遊技盤とを分離して示す斜視図である。
【図６】同じく本体枠の下部左側に形成されたスピーカボックスとスピーカとを分離して示す斜視図である。
【図７】同じく本体枠のスピーカボックスを後側から示す斜視図である。
【図８】同じく本体枠のスピーカボックスを後側から示す背面図である。
【図９】同じく図８のＩＸ−ＩＸ線に基づくスピーカボックスの平断面図である。
【図１０】同じくスピーカボックスの後壁の配線孔と端末コネクタを拡大して示す平断面図である。
【図１１】同じく図８のＸＩ−ＸＩ線に基づくスピーカボックスの平断面図である。
【図１２】同じくスピーカ側接続線の端末コネクタと基板側接続線の端末コネクタとを分離して示す斜視図である。
【図１３】同じく本体枠の遊技盤装着枠に遊技盤が嵌込まれた状態を部分的に示す平断面図である。
【図１４】同じく遊技盤装着枠に遊技盤が嵌込まれたときに本体枠側コネクタと遊技盤側コネクタとが接続された状態を拡大して示す平断面図である。
【図１５】同じく遊技盤装着枠に遊技盤が嵌込まれる前の本体枠側コネクタと遊技盤側コネクタとの非接続状態を拡大して示す平断面図である。
【図１６】同じく本体枠側コネクタと遊技盤側コネクタとを分離して示す斜視図である。
【図１７】同じく本体枠の機構装着体の前側に設けられた第１、第２配線空間に電源線と信号線とが分離して配線された状態を示す本体枠の正面図である。
【図１８】同じく本体枠の機構装着体の前側に設けられた第１配線空間に電源線が配線された状態を斜め左下から示す本体枠の斜視図である。
【図１９】同じく本体枠の機構装着体の前側に設けられた第２配線空間に信号線が配線された状態を斜め右下から示す本体枠の斜視図である。
【図２０】同じく図１７のＸＸ−ＸＸ線に基づく本体枠の機構装着体の側断面図である。
【図２１】同じく図１７のＸＸＩ−ＸＸＩ線に基づく本体枠の機構装着体の側断面図である。
【図２２】同じく本体枠側の各種回路基板と遊技盤側の各種回路基板とが本体枠側コネクタと遊技盤側コネクタによって接続された状態を示すブロック図である。
【符号の説明】
【００６４】
１０  外枠
２０  本体枠
２１  前枠体
３０  スピーカボックス
３６  スピーカ
３５  スピーカ装着部材
４０  後壁部
４１  凹部
４２  底部
４３  配線孔
５０  端末コネクタ
５２  ストッパ部
５３  弾性係止体
５３ａ  一対の弾性係止部
５５  抜止用連結部
５９  基板側接続線
６０  端末コネクタ
６５  抜止片
１１０  遊技盤装着枠
１６６  副制御基板（制御基板）
１９０  機構装着体
【図１】
2005296637.tif 000003
【図２】
2005296637.tif 000004
【図３】
2005296637.tif 000005
【図４】
2005296637.tif 000006
【図５】
2005296637.tif 000007
【図６】
2005296637.tif 000008
【図７】
2005296637.tif 000009
【図８】
2005296637.tif 000010
【図９】
2005296637.tif 000011
【図１０】
2005296637.tif 000012
【図１１】
2005296637.tif 000013
【図１２】
2005296637.tif 000014
【図１３】
2005296637.tif 000015
【図１４】
2005296637.tif 000016
【図１５】
2005296637.tif 000017
【図１６】
2005296637.tif 000018
【図１７】
2005296637.tif 000019
【図１８】
2005296637.tif 000020
【図１９】
2005296637.tif 000021
【図２０】
2005296637.tif 000022
【図２１】
2005296637.tif 000023
【図２２】
2005296637.tif 000024